(57)【要約】【課題】昇降路内から最下階のホールランタンの電球を交換などの高所作業の安全性を向上するエレベータのかご下作業足場装置を提供することにある。【解決手段】昇降路底部に設置されかごの非常下降時にかご底部へ接触する緩衝器２と同一の鉛直投影面上に位置する前記作業床板の一部に開口を形成するとともに、その開口を閉塞する位置と非閉塞位置とのいずれか一方に位置するよう可動的に開口閉塞床板３を設けた。【選択図】図３
2008207938.tif 000002
【特許請求の範囲】
【請求項１】
昇降路内を昇降するかご底部に支持されるとともに昇降路底部に向けて延設され、点検時に点検者が乗込む作業床板を備えたエレベータのかご下作業足場装置において、
前記昇降路底部に設置されかごの非常下降時にかご底部へ接触する緩衝器と同一の鉛直投影面上に位置する前記作業床板の一部に開口を形成するとともに、その開口を閉塞する位置と非閉塞位置とのいずれか一方に位置するよう可動的に開口閉塞床板を設けたことを特徴とするエレベータのかご下作業足場装置。
【請求項２】
請求項１に記載のエレベータのかご下作業足場装置において、
前記開口閉塞床板は、回動支持軸を介して前記作業床板から上方へ向けて回動可能に設けられるとともに、この開口閉塞床板が前記閉塞位置に位置する際には前記開口閉塞床板の可動を拘束する拘束手段を設けたことを特徴とするエレベータのかご下作業足場蓑置。
【請求項３】
請求項２に記載のエレベータのかご下作業足場装置において、
前記拘束手段は、前記緩衝機と前記開口閉塞床板が接触した際には、前記拘束を解除するよう動作する板バネで構成したことを特徴とするエレベータのかご下作業足場装置。
【発明の詳細な説明】
【技術分野】
【０００１】
本発明は、点検時に使用するエレベータのかご下作業足場装置に関する。
【背景技術】
【０００２】
一般的に、エレベータのかごが指定の階に到着したことを知らせるために点灯するホールランタンの電球交換は、ホールランタンのカバーを外してエレベータ乗り場側から電球交換できるようにすることが基本であるが、意匠面の問題でホールランタンのカバーを外すことができずエレベータ乗り場側から電球交換できない場合がある。
【０００３】
そこで、ホールランタンのカバーを外すことができずエレベータ乗り場側から電球交換できない場合は、かご上に乗り込んで昇降路内から電球を交換する。
【０００４】
しかし、最下階のホールランタンの電球交換は、かごを昇降路底部に最も近づけた位置に移動してもかご上からホールランタンの電球に手が届かず、かご上に乗り込んで昇降路内から電球を交換できない場合がある。
【０００５】
かご上に乗り込んで昇降路内から最下階のホールランタンの電球を交換できない場合は、昇降路底部にはしごを設置して、設置したはしごを登り昇降路内から電球を交換している。
【０００６】
その場合、昇降路底部からホールランタンの電球までの高さは１０メートル近い高所作業となる場合もあり、危険な作業となっている。
【０００７】
この作業を安全に行なうことができる装置として、従来では、かご下に作業足場を設け、この足場に点検員が乗って前記電球の交換作業を行なうようにした構成が提案されていた。
【０００８】
なおこの従来の装置では、かごの非常下降時にかご底部へ接触する緩衝器と装置が干渉することを避けるため、開口部を設けていた（特許文献１参照）。
【特許文献１】特開平０７−３１５７１０号公報
【発明の開示】
【発明が解決しようとする課題】
【０００９】
上述したかご下作業足場装置を最下階のホールランタンの電球を交換できる位置まで移動すると、かごの非常下降時にかご底部へ接触する緩衝器と装置は干渉しなくなる。
【００１０】
しかし、従来のかご下作業足場装置は、装置を最下階のホールランタンの電球を交換できる位置まで移動しても開口部は閉塞することが無いため、作業中に開口部から墜落したり物を落としたりする危険性があった。
【００１１】
本発明は、この危険性を排除し安全な作業を行うことを可能とするエレベータのかご下作業足場装置を提供することを目的とする。
【課題を解決するための手段】
【００１２】
この目的を達成するために本発明は、昇降路内を昇降するかご底部に支持されるとともに昇降路底部に向けて延設され、点検時に点検者が乗込む作業床板を備えたエレベータのかご下作業足場装置で、かごの非常下降時にかご底部へ接触する緩衝器と同一の鉛直投影面上に位置する前記作業床板の一部を開口したものにおいて、
かごの非常下降時にかご底部へ接触する緩衝器とかご下作業足場装置が干渉する位置にある場合は開口部を開口状態にし、
かごの非常下降時にかご底部へ接触する緩衝器とかご下作業足場装置が干渉しない位置にある場合は、開口部を閉塞する可動式の開口閉塞床板を設ける。
【００１３】
開口閉塞床板が前記閉塞位置に位置する際には前記開口閉塞床板の可動を拘束する拘束手段を設け、前記緩衝機と前記開口閉塞床板が接触した際には、前記拘束を解除するよう動作する板バネで構成し、安全性の向上を図ったものである。
【発明の効果】
【００１４】
本発明によるエレベータのかご下足場装置は、エレベータのかごが指定の階に到着したことを知らせるために点灯するホールランタンの電球交換で、かご下作業足場装置を使用する場合、かごの非常下降時にかご底部へ接触する緩衝器と同一の鉛直投影面上に位置する前記作業床板の一部の開口部を可動式の開口閉塞床板にて、任意で開口状態、閉塞状態にでき、安全性の向上を図ることができるエレベータのかご下足場装置を提供することができる。
【発明を実施するための最良の形態】
【００１５】
以下、本発明によるエレベータのかご下作業足場装置の一実施形態を図面により説明する。
【００１６】
かご下足場装置１には、かごの非常下降時にかご底部へ接触する緩衝器２と同一の鉛直投影面上に位置する部分に開口部があるが、開口部を開口閉塞床板３にて閉塞状態とする。
【００１７】
かご下足場装置１と開口閉塞床板３の間には回動支持軸４を介し、開口閉塞床板３は回動を可能とし、開口閉塞床板３が閉塞位置に位置する際には、かご下足場装置１に固定された板バネ取付け軸５を中心に回動する板バネ６にて拘束する。
【００１８】
図１は昇降路内を昇降路上部から昇降路底部を見た際の図である。
【００１９】
図２はかご下足場装置１の開口部分を、エレベータ乗り場側から見た際の断面図である。
【００２０】
図３は図２の開口閉塞床板３が回動している状態の図である。
【００２１】
かご下足場装置１には、かごの非常下降時にかご底部へ接触する緩衝器２と同一の鉛直投影面上に位置する部分に開口部があるが、開口部を開口閉塞床板３にて閉塞状態とする。
【００２２】
これにより、作業中に開口部から墜落したり物を落としたりする危険性を排除することができる。
【００２３】
ここで、かご下足場装置１と開口閉塞床板３の間には回動支持軸４を介し、開口閉塞床板３は回動可能とする。また、開口閉塞床板３が閉塞位置に位置する際には、かご下足場装置１に固定された板バネ取付け軸５を中心に回動する板バネ６にて拘束する。
【００２４】
この構造により、開口閉塞床板３の開閉が容易になり、開口閉塞床板３が閉塞位置に位置する際には容易に拘束でき、作業中に開口閉塞床板３が開かないようにできる。
【００２５】
また、開口閉塞床板３の拘束は板バネ６であるので、誤って開口閉塞床板３を閉塞位置で拘束した状態で、かごの非常下降時にかご底部へ接触する緩衝器２と開口閉塞床板３が接触しても、拘束状態が解除できる。
【図面の簡単な説明】
【００２６】
【図１】昇降路内を昇降路上部から昇降路底部を見た際の図である。
【図２】かご下足場装置の開口部分をエレベータ乗り場側から見た際の断面図である。
【図３】かご下足場装置の開口部分をエレベータ乗り場側から見た際の断面図で、開口閉塞床板が回動している状態の図である。
【符号の説明】
【００２７】
１  かご下足場装置
２  緩衝器
３  開口閉塞床板
４  回動支持軸
５  板バネ取付け軸
６  板バネ
７  かご
【図１】
2008207938.tif 000003
【図２】
2008207938.tif 000004
【図３】
2008207938.tif 000005